(57)【要約】【課題】  空気清浄フィルタユニットにおいて、フィルタ交換作業時の使用済みフィルタの取り外し時に、捕捉された塵埃等が使用済みフィルタから飛散するのを防ぐ。【解決手段】  フィルタ交換装置７１は、フィルタ４とフィルタ固定枠２１とを備えた空気清浄フィルタユニット１のフィルタ交換作業時に用いられる。ここで、フィルタ４は、空気中の塵埃等を捕捉するろ材４１と、ろ材４１の周縁部を囲むフィルタ枠４２とを有している。フィルタ固定枠２１は、フィルタ枠４２の周縁部を固定する。フィルタ交換装置７１は、フィルタ収納体９１と、収納体固定手段８１とから構成されている。フィルタ収納体９１は、取り外しの対象となるフィルタ４を入れる開口を形成する入口部９１ａを有している。収納体固定手段８１は、入口部９１ａを、取り外しの対象となるフィルタ４を収納できるように、フィルタ固定枠２１又はフィルタ固定枠２１の外側に取り付ける。【選択図】      図７
2006015213.tif 000002
【特許請求の範囲】
【請求項１】
空気中の塵埃等を捕捉するろ材（４１、１４１、２４１）と前記ろ材の周縁部を囲むフィルタ枠（４２、１４２、２４２）とを有するフィルタ（４、１０４、２０４）と前記フィルタ枠の周縁部を固定するフィルタ固定枠（２１、１２１、２２１）とを備えた空気清浄フィルタユニット（１、１０１、２０１）のフィルタ交換装置であって、
取り外しの対象となるフィルタを入れる開口を形成する入口部（９１ａ、１９１ａ、２９１ａ）を有するフィルタ収納体（９１、１９１、２９１）と、
前記入口部を、取り外しの対象となるフィルタを収納できるように、前記フィルタ固定枠又は前記フィルタ固定枠の外側に取り付ける収納体固定手段（８１、８２、８３、１８１、２８１）と、
を備えたフィルタ交換装置（７１、１７１、２７１）。
【請求項２】
前記フィルタ収納体（９１、１９１、２９１）は、吸引装置を接続することが可能な開口を形成する吸引部（９１ｂ、１９１ｂ、２９１ｂ）をさらに有しており、
前記吸引部には、排気用フィルタ（９２、１９２、２９２）が設けられている、
請求項１に記載のフィルタ交換装置（７１、１７１、２７１）。
【請求項３】
前記フィルタ収納体（９１、１９１、２９１）は、前記排気用フィルタ（９２、１９２、２９２）の近傍に配置されたスペーサ部材（９３、１９３、２９３）をさらに有している、
請求項２に記載のフィルタ交換装置（７１、１７１、２７１）。
【請求項４】
前記フィルタ収納体（９１、１９１、２９１）は、前記フィルタ固定枠（２１、１２１、２２１）又は前記フィルタ固定枠の外側に取り付けられた状態で、取り外しの対象となるフィルタ（４、１０４、２０４）にアクセスすることを可能にする操作部（９１ｃ、１９１ｃ、２９１ｃ）をさらに有している、請求項１〜３のいずれかに記載のフィルタ交換装置（７１、１７１、２７１）。
【請求項５】
前記フィルタ収納体（９１、１９１、２９１）は、柔軟性素材からなる、請求項１〜３のいずれかに記載のフィルタ交換装置（７１、１７１、２７１）。
【請求項６】
前記収納体固定手段（８２、８３）を用いて前記フィルタ収納体（９１）を前記フィルタ固定枠（２１）又は前記フィルタ固定枠の外側に取り付けることによって、前記フィルタ（４）が前記フィルタ固定枠から取り外されるフィルタ取り外し機構（８５、８６）をさらに備えている、請求項１〜５のいずれかに記載のフィルタ交換装置（７１）。
【請求項７】
空気中の塵埃等を捕捉するろ材（４１、１４１、２４１）と前記ろ材の周縁部を囲むフィルタ枠（４２、１４２、２４２）とを有するフィルタ（４、１０４、２０４）と前記フィルタ枠の周縁部を固定するフィルタ固定枠（２１、１２１、２２１）とを備えた空気清浄フィルタユニット（１、１０１、２０１）のフィルタ交換方法であって、
取り外しの対象となるフィルタを入れる開口を形成する入口部（９１ａ、１９１ａ、２９１ａ）を有するフィルタ収納体（９１、１９１、２９１）を、前記入口部が取り外しの対象となるフィルタを収納できるように、前記フィルタ固定枠又は前記フィルタ固定枠の外側に取り付け、
取り外しの対象となるフィルタを取り外して、前記フィルタ収納体に回収し、
前記フィルタ収納体の入口部を前記フィルタ固定枠又は前記フィルタ固定枠の外側から取り外した後に、新しいフィルタと交換する、
フィルタ交換方法。
【請求項８】
前記フィルタ収納体（９１、１９１、２９１）は、吸引装置を接続することが可能な開口を形成する吸引部（９１ｂ、１９１ｂ、２９１ｂ）をさらに有しており、
前記吸引部には、排気用フィルタ（９２、１９２、２９２）が設けられており、
取り外しの対象となるフィルタ（４、１０４、２０４）を取り外して前記フィルタ収納体（９１、１９１、２９１）に回収する際には、前記吸引部から前記フィルタ収納体の内部の空気を吸引する、
請求項７に記載のフィルタ交換方法。
【発明の詳細な説明】
【技術分野】
【０００１】
本発明は、フィルタ交換装置及びフィルタ交換方法、特に、空気中の塵埃等を捕捉するろ材とろ材の周縁部を囲むフィルタ枠とを有するフィルタとフィルタ枠の周縁部を固定するフィルタ固定枠とを備えた空気清浄フィルタユニットのフィルタ交換装置及びフィルタ交換方法に関する。
【背景技術】
【０００２】
従来より、各種空気清浄機、空気調和装置や建物内のダクト等には、空気清浄フィルタユニットが設けられている。このような空気清浄フィルタユニットは、主として、空気中の塵埃等を捕捉するろ材とろ材の周縁部を囲むフィルタ枠とを有するフィルタと、フィルタ枠の周縁部を固定するために空気清浄機や空気調和装置のユニットケーシング内やダクト内に設けられたフィルタ固定枠とを備えている。そして、この空気清浄フィルタユニットに使用されるろ材としては、室内の清浄度合いに応じて、ＨＥＰＡ、高性能や中性能フィルタが設けられており、このフィルタは、定期的に、又は、フィルタの集塵性能が低下した場合に交換する必要がある。このフィルタ交換作業は、フィルタ固定枠に取り付けられたフィルタを取り外した後、新しいフィルタを取り付けることによって行われる。また、医療施設や工場等に設置されたフィルタユニットにおいては、フィルタが細菌類や有害な化学物質を含んだ塵埃を捕捉しているため、取り外されたフィルタを医療廃棄物・産業廃棄物として回収用の袋体に入れるようにしている（例えば、特許文献１参照。）。
【特許文献１】特開２００３−３２５５９３号公報
【発明の開示】
【発明が解決しようとする課題】
【０００３】
しかし、フィルタ交換作業時の使用済みフィルタの取り外し時においては、フィルタに捕捉された塵埃等が飛散することがあり、フィルタ交換作業者が細菌類や有害な化学物質を含んだ塵埃を吸入したり、建物内の空気中に飛散させてしまうおそれがある。しかも、塵埃を飛散させないようにするために、フィルタの取り外し作業をゆっくりと行わざるを得ず、作業性が低下するという問題が生じている。
【０００４】
本発明の課題は、空気清浄フィルタユニットにおいて、フィルタ交換作業時の使用済みフィルタの取り外し時に、捕捉された塵埃等が使用済みフィルタから飛散するのを防ぐことにある。
【課題を解決するための手段】
【０００５】
第１の発明にかかるフィルタ交換装置は、空気中の塵埃等を捕捉するろ材とろ材の周縁部を囲むフィルタ枠とを有するフィルタと、フィルタ枠の周縁部を固定するフィルタ固定枠とを備えた空気清浄フィルタユニットのフィルタ交換装置であって、フィルタ収納体と、収納体固定手段とから構成されている。フィルタ収納体は、取り外しの対象となるフィルタを入れる開口を形成する入口部を有している。収納体固定手段は、入口部を、取り外しの対象となるフィルタを収納できるように、フィルタ固定枠又はフィルタ固定枠の外側に取り付ける。
【０００６】
このフィルタ交換装置では、フィルタ収納体の入口部を、収納体固定手段を用いて、取り外しの対象となるフィルタを収納できるように、フィルタ固定枠又はフィルタ固定枠の外側に取り付けることができるため、空気清浄フィルタユニットのフィルタ交換作業時において、フィルタをフィルタ固定枠から取り外す際の塵埃等の飛散を防ぐことができる。これにより、フィルタ交換作業者が細菌類や有害な化学物質を含んだ塵埃を吸入したり、建物内の空気中に飛散させてしまうおそれがなくなり、フィルタをフィルタ固定枠から取り外す際の作業性が向上する。
【０００７】
第２の発明にかかるフィルタ交換装置は、第１の発明にかかるフィルタ交換装置において、フィルタ収納体は、吸引装置を接続することが可能な開口を形成する吸引部をさらに有している。吸引部には、排気用フィルタが設けられている。
このフィルタ交換装置では、フィルタ収納体に吸引部及び排気用フィルタが設けられているため、吸引部を通じてフィルタ収納体内から塵埃等が外部に飛散するのを防ぎつつ、フィルタ収納体内の気圧を外部の気圧よりも低くしてフィルタ収納体内から塵埃等が外部に飛散するのを防ぐことができる。
【０００８】
第３の発明にかかるフィルタ交換装置は、第２の発明にかかるフィルタ交換装置において、フィルタ収納体は、排気用フィルタの近傍にスペーサ部材をさらに有している。
このフィルタ交換装置では、排気用フィルタの近傍に配置されたスペーサ部材を有しているため、吸引装置を用いてフィルタ収納体内の気圧を外部の気圧よりも低くしながらフィルタをフィルタ固定枠から取り外す作業を行う場合でも、フィルタ収納体の形状をある程度規定することができるようになり、フィルタ収納体内にフィルタ固定枠から取り外されたフィルタを収納するスペースを確保することができる。また、取り外されたフィルタと吸引部との間のスペースを確保できるため、吸引によるフィルタからの塵埃等の飛散をより効果的に防ぐことができる。
【０００９】
第４の発明にかかるフィルタ交換装置は、第１〜第３の発明いずれかにかかるフィルタ交換装置において、フィルタ収納体は、フィルタ固定枠又はフィルタ固定枠の外側に取り付けられた状態で、取り外しの対象となるフィルタにアクセスすることを可能にする操作部をさらに有している。
このフィルタ交換装置では、フィルタ収納体の入口部をフィルタ固定枠又はフィルタ固定枠の外側に取り付けた状態で、操作部を介して、フィルタをフィルタ固定枠から取り外してフィルタ収納体に入れる等の作業を容易に行うことができるようになる。ここで、操作部としては、フィルタ交換作業者が手を入れることができる手袋形状の部分等がある。
【００１０】
第５の発明にかかるフィルタ交換装置は、第１〜第３の発明のいずれかにかかるフィルタ交換装置において、フィルタ収納体は、柔軟性素材からなる。
このフィルタ交換装置では、フィルタ収納体が柔軟性素材からなるため、入口部をフィルタ固定枠又はフィルタ固定枠の外側に取り付けた状態で、フィルタ収納体の柔軟性を利用して、フィルタをフィルタ固定枠から取り外してフィルタ収納体に入れる等の作業を容易に行うことができる。
【００１１】
第６の発明にかかるフィルタ交換装置は、第１〜第５の発明のいずれかにかかるフィルタ交換装置において、収納体固定手段を用いてフィルタ収納体をフィルタ固定枠又はフィルタ固定枠の外側に取り付けることによって、フィルタがフィルタ固定枠から取り外されるフィルタ取り外し機構をさらに備えている。
このフィルタ交換装置では、収納体固定手段を用いてフィルタ収納体をフィルタ固定枠又はフィルタ固定枠の外側に取り付けることによって、フィルタがフィルタ固定枠から取り外されて、フィルタ収納体に回収されるため、フィルタをフィルタ固定枠から取り外す作業を短時間で行うことができる。
【００１２】
第７の発明にかかるフィルタ交換方法は、空気中の塵埃等を捕捉するろ材とろ材の周縁部を囲むフィルタ枠とを有するフィルタと、フィルタ枠の周縁部を固定するフィルタ固定枠とを備えた空気清浄フィルタユニットのフィルタ交換方法であって、以下の手順によって行われる。まず、取り外しの対象となるフィルタを入れる開口を形成する入口部を有するフィルタ収納体を、入口部が取り外しの対象となるフィルタを収納できるように、フィルタ固定枠又はフィルタ固定枠の外側に取り付ける。次に、取り外しの対象となるフィルタを取り外して、フィルタ収納体に回収する。次に、フィルタ収納体の入口部をフィルタ固定枠又はフィルタ固定枠の外側から取り外した後に、新しいフィルタと交換する。
【００１３】
このフィルタ交換方法では、フィルタ収納体の入口部を、収納体固定手段を用いて、取り外しの対象となるフィルタを収納できるように、フィルタ固定枠又はフィルタ固定枠の外側に取り付けることができるため、空気清浄フィルタユニットのフィルタ交換作業時において、フィルタをフィルタ固定枠から取り外す際の塵埃等の飛散を防ぐことができる。これにより、フィルタ交換作業者が細菌類や有害な化学物質を含んだ塵埃を吸入したり、建物内の空気中に飛散させてしまうおそれがなくなり、フィルタをフィルタ固定枠から取り外す際の作業性が向上する。
【００１４】
第８の発明にかかるフィルタ交換方法は、第７の発明にかかるフィルタ交換方法において、フィルタ収納体は、吸引装置を接続することが可能な開口を形成する吸引部をさらに有している。吸引部には、排気用フィルタが設けられている。取り外しの対象となるフィルタを取り外してフィルタ収納体に回収する際には、吸引部からフィルタ収納体の内部の空気を吸引する。
【００１５】
このフィルタ交換方法では、吸引部を通じてフィルタ収納体内から塵埃等が外部に飛散するのを防ぎつつ、フィルタ収納体内の気圧を外部の気圧よりも低くしてフィルタ収納体内から塵埃等が外部に飛散するのを防ぐことができる。
【発明の効果】
【００１６】
以上の説明に述べたように、本発明によれば、以下の効果が得られる。
第１の発明では、フィルタ収納体の入口部を、収納体固定手段を用いて、取り外しの対象となるフィルタを収納できるように、フィルタ固定枠又はフィルタ固定枠の外側に取り付けることができるため、空気清浄フィルタユニットのフィルタ交換作業時において、フィルタをフィルタ固定枠から取り外す際の塵埃等の飛散を防ぐことができる。
【００１７】
第２の発明では、フィルタ収納体に吸引部及び排気用フィルタが設けられているため、吸引部を通じてフィルタ収納体内から塵埃等が外部に飛散するのを防ぎつつ、フィルタ収納体内の気圧を外部の気圧よりも低くしてフィルタ収納体内から塵埃等が外部に飛散するのを防ぐことができる。
第３の発明では、排気用フィルタの近傍に配置されたスペーサ部材を有しているため、吸引装置を用いてフィルタ収納体内の気圧を外部の気圧よりも低くしながらフィルタをフィルタ固定枠から取り外す作業を行う場合でも、フィルタ収納体内にフィルタ固定枠から取り外されたフィルタを収納するスペースを確保することができる。
【００１８】
第４の発明では、フィルタ収納体の入口部をフィルタ固定枠又はフィルタ固定枠の外側に取り付けた状態で、操作部を介して、フィルタをフィルタ固定枠から取り外してフィルタ収納体に入れる等の作業を容易に行うことができる。
第５の発明では、フィルタ収納体の入口部をフィルタ固定枠又はフィルタ固定枠の外側に取り付けた状態で、フィルタ収納体の柔軟性を利用して、フィルタをフィルタ固定枠から取り外してフィルタ収納体に入れる等の作業を容易に行うことができる。
【００１９】
第６の発明では、収納体固定手段を用いてフィルタ収納体をフィルタ固定枠又はフィルタ固定枠の外側に取り付けることによって、フィルタがフィルタ固定枠から取り外されて、フィルタ収納体に回収されるため、フィルタをフィルタ固定枠から取り外す作業を短時間で行うことができる。
第７の発明では、フィルタ収納体の入口部を、収納体固定手段を用いて、取り外しの対象となるフィルタを収納できるように、フィルタ固定枠又はフィルタ固定枠の外側に取り付けることができるため、空気清浄フィルタユニットのフィルタ交換作業時において、フィルタをフィルタ固定枠から取り外す際の塵埃等の飛散を防ぐことができる。
【００２０】
第８の発明では、吸引部を通じてフィルタ収納体内から塵埃等が外部に飛散するのを防ぎつつ、フィルタ収納体内の気圧を外部の気圧よりも低くしてフィルタ収納体内から塵埃等が外部に飛散するのを防ぐことができる。
【発明を実施するための最良の形態】
【００２１】
以下、図面に基づいて、本発明にかかるフィルタ交換装置及びフィルタ交換方法の実施形態について説明する。
［第１実施形態］
（１）空気清浄フィルタユニットの構成
図１は、空気清浄フィルタユニットの一例として、天井裏空間に埋め込み設置された排気用の空気清浄フィルタユニット１の概略構造の断面図である。
【００２２】
この空気清浄フィルタユニット１は、主として、ユニットケーシング２を備えている。ユニットケーシング２は、下面に開口からなる室内から排気される空気の入口となる入口開口２ａを有する箱体であり、天井面Ｕに図示しない金具等を介して埋め込み設置されている。また、ユニットケーシング２の下側には、入口開口２ａを室内側から覆うように排気口グリル３が設けられている。また、ユニットケーシング２は、側面にユニットケーシング２内の空気の出口となる出口ノズル２ｂを有しており、本実施形態において、排気ファン６１が接続された排気ダクト６２にフランジ接続されている。ユニットケーシング２の内部には、その内部空間を入口開口２ａ側の上流側空間Ｓ１と、出口ノズル２ｂ側の下流側空間Ｓ２とに分割するように、空気中の塵埃等を捕捉するフィルタ４が設けられている。これにより、室内の空気は、排気ファン６１を運転することによって、排気口グリル３及び入口開口２ａを通じてユニットケーシング２の上流側空間Ｓ１に吸入され、フィルタ４において塵埃等が除去された後に、下流側空間Ｓ２、出口ノズル２ｂ及び排気ダクト６２を通じて、室外に排気される（図１の白抜きの矢印参照）。
【００２３】
フィルタ４は、空気中の塵埃等を捕捉するろ材４１と、ろ材４１の周縁部を囲むフィルタ枠４２とを有している。ろ材４１は、例えば、その断面がプリーツ形状に折り曲げられたガラス繊維や樹脂繊維等からなる略四角形状の布体である。フィルタ枠４２は、ろ材４１の周縁部を囲んで支持する樹脂、金属、紙や不織布等からなる略四角形状の枠体であり、その上流側及び下流側の両端部がろ材４１の周縁部を挟むように内周側に向かって延びている。そして、フィルタ４は、ユニットケーシング２に着脱可能に固定されている。具体的には、ユニットケーシング２の内面には、フィルタ枠４２の周縁部を固定するフィルタ固定枠２１が設けられている。このフィルタ固定枠２１は、本実施形態において、ユニットケーシング２の側面の内面に囲まれるように配置されている。フィルタ固定枠２１は、ユニットケーシング２の側面の内面から内側に向かって延びており、フィルタ４の下流側の面（具体的には、フィルタ枠４２の下流側の端部）に当接する四角環状の当接部２１ａを有している。また、フィルタ固定枠２１は、当接部２１ａからフィルタ４の上流側に向かって延びており、フィルタ枠４２が嵌合可能な四角環状の嵌合部２１ｂを有している。これにより、フィルタ４は、図２に示されるように、上流側空間Ｓ１からフィルタ固定枠２１に嵌め込まれて固定される（図２の矢印Ａ参照）。このとき、図２に示されるように、フィルタ枠４２の下流側の端部とフィルタ固定枠２１の当接部２１ａとの間に、必要に応じて、パッキン２２を介在させて、フィルタ枠４２とフィルタ固定枠２１との間のシール性を向上させてもよい。また、フィルタ枠４２の下流側の端部とフィルタ固定枠２１の当接部２１ａとをネジ等で固定してもよい。
【００２４】
（２）フィルタ交換装置及び使用済みフィルタの交換作業
次に、空気清浄フィルタユニット１の使用済みフィルタ４のフィルタ交換装置７１及びフィルタ交換方法について説明する。
まず、図３、図４及び図５を用いてフィルタ交換装置７１について説明する。ここで、図３は図１のフィルタ４付近を拡大して示す図であり、図４は図３のＩ矢視図であり、図５はフィルタ収納体９１の断面図である。フィルタ交換装置７１は、主として、フィルタ収納体９１と、収納体固定手段８１とを備えている。収納体固定手段８１は、本実施形態において、フィルタ固定枠２１に設けられた固定枠フック部８１ａと、フィルタ収納体９１に設けられた固定枠フック部８１ａに係止することが可能なフック係止孔８１ｂとから構成されている。固定枠フック部８１ａは、本実施形態において、フィルタ固定枠２１の四角環状の嵌合部２１ｂの角部近傍から外方に突出するように４つ設けられている。フック係止孔８１ｂは、取り外し対象となるフィルタ４を入れる開口を形成する入口部９１ａに形成されている。このフック係止孔８１ｂは、本実施形態において、固定枠フック部８１ａと同じ数（すなわち、４つ）設けられている。フィルタ収納体９１は、本実施形態において、袋状の部材であり、主として、使用済みのフィルタ４を入れる開口を形成する入口部９１ａと、吸引ファンや掃除機等の吸引装置を接続することが可能な吸引部９１ｂと、フィルタ収納体９１がフィルタ固定枠２１に取り付けられた状態で、使用済みのフィルタ４にアクセスすることを可能にする手袋形状の操作部９１ｃと、吸引部９１ｂに設けられた排気用フィルタ９２と、排気用フィルタ９２の近傍に配置されたテーパ筒状のスペーサ部材９３と、入口部９１ａを縛ることで開口を閉鎖する紐等の閉鎖部材９４とを有している。
【００２５】
次に、図６、図７及び図８を用いて使用済みのフィルタ４の交換方法について説明する。ここで、図６はフィルタ固定枠２１にフィルタ収納体９１が取り付けられた状態を示す図であり、図７はフィルタ４がフィルタ固定枠２１から取り外されてフィルタ収納体９１内に入った状態を示す図（吸引装置９０も図示）であり、図８はフィルタ収納体９１をフィルタ固定枠２１から取り外して入口部９１ａの開口を閉鎖した状態を示す図である。使用済みフィルタ４の交換方法は、次の手順によって行われる。まず、フィルタ交換作業者が、空気清浄フィルタユニット１の排気口グリル３を取り外す。次に、使用済みのフィルタ４を入れる開口を形成する入口部９１ａを有するフィルタ収納体９１を、入口部９１ａが使用済みのフィルタ４を収納できるように、フィルタ固定枠２１に取り付ける。より具体的には、フィルタ固定枠２１の固定枠フック部８１ａにフィルタ収納体９１のフック係止孔８１ｂを引っ掛けることによって固定する（図６参照）。これにより、フィルタ収納体９１の入口部９１ａは、フィルタ４の周囲を囲むように配置される。このとき、図６に示されるように、閉鎖部材９４をフィルタ固定枠２１の外周面に沿わせるようにすることで、フィルタ収納体９１の入口部９１ａとフィルタ固定枠２１との間の隙間を小さくすることが望ましい。次に、図７に示されるように、フィルタ交換作業者が操作部９１ｃに手を入れて、使用済みのフィルタ４をフィルタ固定枠２１から取り外して、フィルタ収納体９１内に入れて回収する（図７の矢印Ｂ参照）。このとき、フィルタ収納体９１の吸引部９１ｂに吸引装置９０を接続してフィルタ収納体９１内の空気を外部に吸引しながら（図７の白抜きの矢印参照）、フィルタ４をフィルタ固定枠２１から取り外す作業を行うことで、吸引部９１ｂを通じてフィルタ収納体９１内から塵埃等が外部に飛散するのを防ぎつつ、フィルタ収納体９１内の気圧を外部の気圧よりも低くしてフィルタ収納体９１内から塵埃等が外部に飛散するのを防ぐことが望ましい。また、本実施形態のフィルタ収納体９１のように、排気用フィルタ９２の近傍にスペーサ部材９３を設けることによって、吸引装置９０を用いてフィルタ収納体９１内の気圧を外部の気圧よりも低くしながら、フィルタ４をフィルタ固定枠２１から取り外す作業を行う場合でも、フィルタ収納体９１の形状をある程度規定することができるようになり、フィルタ収納体９１内にフィルタ固定枠２１から取り外されたフィルタを収納するスペースを確保することができる。また、取り外されたフィルタと吸引部との間のスペースを確保できるため、吸引によるフィルタからの塵埃等の飛散をより効果的に防ぐことができる。次に、図８に示されるように、フィルタ収納体９１の入口部９１ａをフィルタ固定枠２１から取り外した後に、入口部９１ａを閉鎖部材９４で縛ることによって閉鎖し、新しいフィルタ４と交換する。
【００２６】
また、上記では、収納体固定手段８１として、フィルタ固定枠２１に設けられた複数の固定枠フック部８１ａと、フィルタ収納体９１に設けられたフック係止孔８１ｂとから構成されているが、これに限定されず、粘着テープや磁石等を用いてもよい。また、収納体固定手段８１の数も、上記に限定されず、例えば、フィルタ収納体９１に多数のフック係止孔８１ｂを設けて、種々のフィルタ固定枠２１に対応できるようにしてもよい。また、フィルタ収納体９１は、その入口部９１ａがフィルタ４を収納できるように固定されていればよいため、固定枠フック部８１ａをフィルタ固定枠２１の外側（例えば、ユニットケーシング２の内面等）に設けるようにしてもよい。
【００２７】
また、上記では、閉鎖部材９４として、紐が用いられているが、これに限定されず、ゴム、テープ等を用いたり、入口部９１ａ自体を伸縮性を有する素材で形成してもよい。
また、上記では、スペーサ部材９３の形状がテーパ筒状であったが、これに限定されず、フィルタ固定枠２１から取り外されたフィルタ４が入るスペースを確保できる形状であれば種々の形状のものが適用可能である。また、スペーサ部材９３を折り畳み構造や部分的に強度が弱い構造にしてもよく、これにより、フィルタ収納体９１をフィルタ交換作業の現地に搬入する際の荷姿を小さくしたり、フィルタ収納体９１にフィルタを収納した状態での荷姿を小さくすることができる。
【００２８】
また、上記では、操作部９１ｃとして、フィルタ収納体９１に手袋形状の部分を設けるようにしているが、これに限定されず、例えば、フィルタ収納体９１自体を柔軟性素材で形成して、使用済みのフィルタ４にアクセスすることを可能にしてもよい。
さらに、上記では、フィルタ収納体９１として、袋体が用いられているが、袋体に比べて剛性の強い箱体であってもよい。但し、この場合には、入口部に蓋を取り付けることによって開口を閉鎖する必要がある。
【００２９】
尚、上記では、天井裏空間に埋め込み設置された排気用の空気清浄フィルタユニット１を例にして説明したが、壁裏空間に埋め込み設置された排気用の空気清浄フィルタユニットにも適用可能である。但し、この場合には、フィルタの面が上下方向ではなく側方を向くことになる。
（３）特徴
本実施形態の空気清浄フィルタユニット１の使用済みフィルタ４の交換方法、それに用いられるフィルタ交換装置７１には、以下のような特徴がある。
【００３０】
（Ａ）
本実施形態のフィルタ交換方法は、空気中の塵埃等を捕捉するろ材４１とろ材４１の周縁部を囲むフィルタ枠４２とを有するフィルタ４と、フィルタ枠４２の周縁部を固定するフィルタ固定枠２１とを備えた空気清浄フィルタユニット１のフィルタ交換方法を対象としており、取り外しの対象となるフィルタ４を入れる開口を形成する入口部９１ａを有するフィルタ収納体９１を、入口部９１ａが取り外しの対象となるフィルタ４を収納できるように、フィルタ固定枠２１又はフィルタ固定枠２１の外側に取り付ける。次に、取り外しの対象となるフィルタ４を取り外して、フィルタ収納体９１に回収する。次に、フィルタ収納体９１の入口部９１ａをフィルタ固定枠２１又はフィルタ固定枠２１の外側から取り外した後に、新しいフィルタ４と交換する。
【００３１】
このフィルタ交換方法では、フィルタ収納体９１の入口部９１ａを、フィルタ交換装置７１を構成する収納体固定手段８１を用いて、取り外しの対象となるフィルタ４を収納できるように、フィルタ固定枠２１又はフィルタ固定枠２１の外側に取り付けることができるため、空気清浄フィルタユニット１のフィルタ交換作業時において、フィルタ４をフィルタ固定枠２１から取り外す際の塵埃等の飛散を防ぐことができる。これにより、フィルタ交換作業者が細菌類や有害な化学物質を含んだ塵埃を吸入したり、建物内の空気中に飛散させてしまうおそれがなくなり、フィルタ４をフィルタ固定枠２１から取り外す際の作業性を向上させることができる。
【００３２】
（Ｂ）
また、フィルタ交換装置７１を構成するフィルタ収納体９１は、吸引装置９０を接続することが可能な開口を形成する吸引部９１ｂをさらに有しており、また、吸引部９１ｂには排気用フィルタ９２が設けられているため、取り外しの対象となるフィルタ４を取り外してフィルタ収納体９１に回収する際に、吸引部９１ｂからフィルタ収納体９１の内部の空気を吸引することによって、吸引部９１ｂを通じてフィルタ収納体９１内から塵埃等が外部に飛散するのを防ぎつつ、フィルタ収納体９１内の気圧を外部の気圧よりも低くしてフィルタ収納体９１内から塵埃等が外部に飛散するのを防ぐことができる。
【００３３】
（Ｃ）
また、フィルタ交換装置７１を構成するフィルタ収納体９１は、排気用フィルタ９２の近傍にスペーサ部材９３をさらに有しているため、吸引装置９０を用いてフィルタ収納体９１内の気圧を外部の気圧よりも低くしながらフィルタ４をフィルタ固定枠２１から取り外す作業を行う場合でも、フィルタ収納体９１の形状をある程度規定することができるようになり、フィルタ収納体９１内にフィルタ固定枠２１から取り外されたフィルタを収納するスペースを確保することができる。また、取り外されたフィルタと吸引部との間のスペースを確保できるため、吸引によるフィルタからの塵埃等の飛散をより効果的に防ぐことができる。また、スペーサ部材９３を折り畳み構造や部分的に強度が弱い構造にする場合には、フィルタ収納体９１をフィルタ交換作業の現地に搬入する際の荷姿を小さくしたり、フィルタ収納体９１にフィルタを収納した状態での荷姿を小さくすることができる。
【００３４】
（Ｄ）
さらに、フィルタ交換装置７１を構成するフィルタ収納体９１は、フィルタ固定枠２１又はフィルタ固定枠２１の外側に取り付けられた状態で、取り外しの対象となるフィルタ４にアクセスすることを可能にする操作部９１ｃをさらに有しているため、フィルタ収納体９１の入口部９１ａをフィルタ固定枠２１又はフィルタ固定枠２１の外側に取り付けた状態で、操作部９１ｃを介して、フィルタ４をフィルタ固定枠２１から取り外してフィルタ収納体９１に入れる等の作業を容易に行うことができるようになる。ここで、操作部９１ｃとしては、フィルタ交換作業者が手を入れることができる手袋形状の部分等がある。また、操作部９１ｃを設ける代わりに、フィルタ収納体９１自体を柔軟性素材で形成することで取り外しの対象となるフィルタ４にアクセスすることを可能にしてもよい。
【００３５】
（４）変形例
前記実施形態の空気清浄フィルタユニット１のフィルタ交換装置７１において、収納体固定手段８１を用いて、フィルタ収納体９１の入口部９１ａを、フィルタ４が収納できるようにフィルタ固定枠２１又はフィルタ固定枠２１の外側に取り付けると同時に、フィルタ４がフィルタ固定枠２１から取り外されて、フィルタ収納体９１内に入るようにしたフィルタ取り外し機構を有していてもよい。
【００３６】
例えば、図９及び図１０に示されるフィルタ取り外し機構８５は、フィルタ固定枠２１の嵌合部２１ｂの内部に設けられた空間内に形成されており、嵌合部２１ｂのフィルタ４側の壁部２３を貫通してフィルタ４がフィルタ固定枠２１の当接部２１ａに当接した状態でロックするロックピン８５ａと、嵌合部２１ｂの空間内においてロックピン８５ａの端部に固定された磁性体からなる円盤部８５ｂと、円盤部８５ｂと嵌合部２１ｂのユニットケーシング２側の壁部２４との間に配置されて円盤部８５ｂを壁部２３側に付勢するバネ８５ｃと、フィルタ収納体９１の入口部９１ａに設けられた磁石８５ｄとを有している。そして、磁石８５ｄを壁部２４側から円盤部８５ｂに近づけることにより、フィルタ収納体９１の入口部９１ａがフィルタ固定枠２１に取り付けられる。すなわち、磁石８５ｄと円盤部８５ｂとが収納体固定手段８２を構成していることになる。しかも、円盤部８５ｂは、磁石８５ｄの磁力により、バネ８５ｃを圧縮しながら壁部２４側に移動するため（図１０の矢印Ｃ参照）、ロックピン８５ａも壁部２４側に移動して、フィルタ４のロックが外れるとともに、フィルタ固定枠２１の当接部２１ａに設けられているパッキン２２が膨らんで、フィルタ４がフィルタ収納体９１内に入る（図１０の矢印Ｄ参照）。このように、フィルタ取り外し機構８５によって、フィルタ収納体９１の入口部９１ａを、フィルタ４が収納できるようにフィルタ固定枠２１又はフィルタ固定枠２１の外側に取り付けると同時に、フィルタ４がフィルタ固定枠２１から取り外されて、フィルタ収納体９１内に入るようになっている。
【００３７】
また、図１１及び図１２に示されるフィルタ取り外し機構８６は、フィルタ固定枠２１の嵌合部２１ｂの内部に設けられた空間内に形成されており、嵌合部２１ｂのフィルタ４側の壁部２３を貫通してフィルタ枠４２の外面に当接する断面が三角形状のテーパ部８６ａと、嵌合部２１ｂのユニットケーシング２側の壁部２４に形成された貫通孔８６ｂと、フィルタ収納体９１の入口部９１ａに設けられた挿入ピン８６ｃとを有している。そして、挿入ピン８６ｃを貫通孔８６ｂに挿入することにより、フィルタ収納体９１の入口部９１ａがフィルタ固定枠２１に取り付けられる（図１１の矢印Ｅ参照）。すなわち、挿入ピン８６ｃと貫通孔８６ｂとが収納体固定手段８３を構成していることになる。しかも、テーパ部８６ａは、挿入ピン８６ｃにより、壁部２３側に移動するため（図１１の矢印Ｅ及び図１２参照）、フィルタ４のフィルタ枠４２がフィルタ固定枠２１の反当接部２１ａ側に押し出されて、フィルタ４がフィルタ収納体９１内に入る（図１２の矢印Ｆ参照）。このように、フィルタ取り外し機構８６によって、フィルタ収納体９１の入口部９１ａを、フィルタ４が収納できるようにフィルタ固定枠２１又はフィルタ固定枠２１の外側に取り付けると同時に、フィルタ４がフィルタ固定枠２１から取り外されて、フィルタ収納体９１内に入るようになっている。尚、このフィルタ取り外し機構８６を採用する場合には、フィルタ４のフィルタ枠４２に、テーパ部８６ａの先端に対応するようにテーパ面を設けることが望ましい。
【００３８】
上記のようなフィルタ取り外し機構８６をフィルタ交換装置７１に組み込むことによって、収納体固定手段８２、８３を用いてフィルタ収納体９１をフィルタ固定枠２１又はフィルタ固定枠２１の外側に取り付けることによって、フィルタ４がフィルタ固定枠２１から取り外されて、フィルタ収納体９１に回収されるため、フィルタ４をフィルタ固定枠２１から取り外す作業を短時間で行うことができる。
【００３９】
［第２実施形態］
（１）空気清浄フィルタユニットの構成
図１３は、空気清浄フィルタユニットの一例として、天井裏空間に排気ダクト１６２の途中に挿入されるように設置された排気用の空気清浄フィルタユニット１０１の概略構造の断面図である。
【００４０】
この空気清浄フィルタユニット１０１は、主として、ユニットケーシング１０２を備えている。ユニットケーシング１０２は、排気ダクト１６２よりも大きな流路断面を有する断面が略四角形状の箱体であり、本実施形態において、排気ダクト１６２にフランジ接続される入口ノズル１０２ａ及び出口ノズル１０２ｂを有している。また、排気ダクト１６２には、出口ノズル１０２ｂから流出する空気を吸入して吐出するように接続された排気ファン１６１が接続されている。そして、ユニットケーシング１０２の内部には、その内部空間を入口ノズル１０２ａ側の上流側空間Ｓ１と、出口ノズル１０２ｂ側の下流側空間Ｓ２とに分割するように、空気中の塵埃等を捕捉するフィルタ１０４が設けられている。これにより、室内の空気は、排気ファン１６１を運転することによって、排気ダクト１６２及び入口ノズル１０２ａを通じてユニットケーシング１０２の上流側空間Ｓ１に吸入され、フィルタ１０４において塵埃等が除去された後に、下流側空間Ｓ２、出口ノズル１０２ｂ及び排気ダクト１６２を通じて、室外に排気される（図１３の白抜きの矢印参照）。
【００４１】
フィルタ１０４は、空気中の塵埃等を捕捉するろ材１４１と、ろ材１４１の周縁部を囲むフィルタ枠１４２とを有している。ろ材１４１は、例えば、その断面がプリーツ形状に折り曲げられたガラス繊維や樹脂繊維等からなる略四角形状の布体である。フィルタ枠１４２は、ろ材１４１の周縁部を囲んで支持する樹脂、金属、紙や不織布等からなる略四角形状の枠体であり、その上流側及び下流側の両端部がろ材１４１の周縁部を挟むように内周側に向かって延びている。そして、フィルタ１０４は、ユニットケーシング１０２に着脱可能に固定されている。具体的には、ユニットケーシング２の内面には、フィルタ枠１４２の周縁部を固定するフィルタ固定枠１２１が設けられている。このフィルタ固定枠１２１は、本実施形態において、フィルタ枠１４２のフィルタ枠１４２の上側周縁部及び下側周縁部を横方向にスライド可能に、かつ、上流側及び下流側に移動不能に支持する上側支持部１２２及び下側支持部１２３を有している。この上側支持部１２２は、フィルタ１０４の上流側の面（具体的には、フィルタ枠１４２の上流側の上端部）に当接する上流側当接部１２２ａと、上流側当接部１２２ａからフィルタ１０４の下流側に向かって延びるフィルタ枠１４２の上端部が嵌合可能な嵌合部１２２ｂと、フィルタ１０４の下流側の面（具体的には、フィルタ枠１４２の下流側の上端部）に当接する下流側当接部１２２ｃとを有している。また、下側支持部１２３は、フィルタ１０４の上流側の面（具体的には、フィルタ枠１４２の上流側の下端部）に当接する上流側当接部１２３ａと、上流側当接部１２３ａからフィルタ１０４の下流側に向かって延びるフィルタ枠１４２の下端部が嵌合可能な嵌合部１２３ｂと、フィルタ１０４の下流側の面（具体的には、フィルタ枠１４２の下流側の下端部）に当接する下流側当接部１２３ｃとを有している。さらに、ユニットケーシング１０２の側面の一部は、図１６に示されるように、フィルタ１０４をユニットケーシング１０２内から引き出す際に開けることが可能なフィルタ引出用蓋部１０２ｃとなっている。
これにより、フィルタ１０４は、図１７に示されるように、フィルタ引出用蓋部１０２ｃを開けて、ユニットケーシング１０２の側面からフィルタ固定枠１２１の上側支持部１２２及び下側支持部１２３上を横方向にスライドさせることによって、フィルタ固定枠１２１に固定される（図１５の矢印Ｇ参照）。
【００４２】
（２）フィルタ交換作業
次に、空気清浄フィルタユニット１０１の使用済みフィルタ１０４の交換方法について説明する。
まず、図１６、図１７及び図５を用いてフィルタ交換装置１７１について説明する。ここで、図１６は図１３のII−II断面図であり、図１７は図１６のIII矢視図であり、図５はフィルタ収納体１９１の断面図である。フィルタ交換装置１７１は、主として、フィルタ収納体１９１と、収納体固定手段１８１とを備えている。収納体固定手段１８１は、本実施形態において、フィルタ固定枠１２１に設けられた固定枠フック部１８１ａと、フィルタ収納体１９１に設けられた固定枠フック部１８１ａに係止することが可能なフック係止孔１８１ｂとから構成されている。固定枠フック部１８１ａは、本実施形態において、上流側当接部１２２ａ、１２３ａ及び下流側当接部１２２ｃ、１２３ｃから外方に突出するように４つ設けられている。フック係止孔１８１ｂは、取り外し対象となるフィルタ１０４を入れる開口を形成する入口部１９１ａに形成されている。このフック係止孔１８１ｂは、本実施形態において、固定枠フック部１８１ａと同じ数（すなわち、４つ）設けられている。フィルタ収納体１９１は、第１実施形態のフィルタ収納体９１と同様の構造を有しているため、符号を１００番台にすることで説明を省略する。
【００４３】
次に、図１８を用いて使用済みのフィルタ１０４の交換方法について説明する。ここで、図１８は、フィルタ固定枠１２１にフィルタ収納体１９１が取り付けられ、フィルタ１０４がフィルタ固定枠１２１から取り外される様子を示す図である。使用済みフィルタ１０４の交換方法は、次の手順によって行われる。まず、フィルタ交換作業者が、空気清浄フィルタユニット１０１のフィルタ引出用蓋部１０２ｃを取り外す。次に、使用済みのフィルタ１０４を入れる開口を形成する入口部１９１ａを有するフィルタ収納体１９１を、入口部１９１ａが使用済みのフィルタ１０４を収納できるように、フィルタ固定枠１２１に取り付ける。より具体的には、フィルタ固定枠１２１の固定枠フック部１８１ａにフィルタ収納体１９１のフック係止孔１８１ｂを引っ掛けることによって固定する（図１８参照）。これにより、フィルタ収納体１９１の入口部１９１ａは、フィルタ１０４の周囲を囲むように配置される。このとき、図１８に示されるように、閉鎖部材１９４をフィルタ固定枠１２１の外周面に沿わせるようにすることで、フィルタ収納体１９１の入口部１９１ａとフィルタ固定枠１２１との間の隙間を小さくすることが望ましい。次に、使用済みのフィルタ１０４をフィルタ固定枠１２１上をスライドさせて取り外して、フィルタ収納体１９１内に入れて回収する（図１８の矢印Ｈ参照）。このとき、第１実施形態と同様に、フィルタ収納体１９１の吸引部１９１ｂに吸引装置を接続してフィルタ収納体１９１内の空気を外部に吸引しながら、フィルタ１０４をフィルタ固定枠１２１から取り外す作業を行うこと等については、第１実施形態と同様であるため、説明を省略する。
【００４４】
また、第１実施形態の変形例と同様に、フィルタ収納体１９１を取り付けるとフィルタ１０４が外れるフィルタ取り外し機構を併せて採用してもよい。
［第３実施形態］
第１及び第２実施形態の空気清浄フィルタユニット１、１０１では、１つのフィルタ４、１０４がフィルタ固定枠２１、１２１に固定されているが、図１９及び２０に示される空気清浄フィルタユニット２０１のように、複数のフィルタ２０４が１つのフィルタ固定枠２２１に固定された大型の空気清浄フィルタユニットに、本発明を適用してもよい。
【００４５】
本実施形態のフィルタ固定枠２２１は、空気中の塵埃等を捕捉するろ材２４１と、ろ材２４１の周縁部を囲むフィルタ枠２４２とを有する４つのフィルタ２０４を固定することが可能であり、フィルタ２０４のフィルタ枠２４２が当接する当接部２２１ａと、フィルタ枠２４２が嵌合可能な四角環状の嵌合部２２１ｂとを有している。そして、嵌合部２２１ｂの各フィルタ２０４の角部に対応する位置には、固定枠フック部２８１ａが設けられている。また、フィルタ収納体２９１には、図５に示されるように、フック係止孔２８１ｂが設けられており、固定枠フック部２８１ａとともに、収納体固定手段２８１を構成している。
【００４６】
これにより、図２１に示されるように、複数のフィルタ２０４のうち取り外しの対象となるフィルタに対応する固定枠フック部２８１ａにフィルタ収納体２９１のフック係止孔２８１ｂを引っ掛けることによって、フィルタ収納体２９１の入口部２９１ａを、フィルタ２０４を収納できるように、フィルタ固定枠２２１に固定し、第１実施形態と同様に、取り外し対象のフィルタ２０４を取り外してフィルタ収納体２９１に入れることができる（図２１の矢印Ｊ参照）。尚、取り外し対象のフィルタ２０４が複数存在する場合には、フィルタ収納体２９１のフック係止孔２８１ｂを引っ掛ける固定枠フック部２８１ａの位置を変更して、順次、フィルタ２０４の取り外し作業を行うことが可能である。
【００４７】
［他の実施形態］
以上、本発明の実施形態について図面に基づいて説明したが、具体的な構成は、これらの実施形態に限られるものではなく、発明の要旨を逸脱しない範囲で変更可能である。
例えば、前記実施形態においては、本発明を排出用の空気清浄フィルタユニットに適用した例を用いて説明したが、これに限定されるものではなく、床置タイプの空気清浄機、吸入口に設置された空気清浄フィルタユニット、ダクト式空気調和装置の吸入口や吹出口に設けられたフィルタユニットや全熱交換装置にも適用可能である。
【産業上の利用可能性】
【００４８】
本発明を利用すれば、空気清浄フィルタユニットにおいて、フィルタ交換作業時の使用済みフィルタの取り外し時に、捕捉された塵埃等が使用済みフィルタから飛散するのを防ぐことができる。
【図面の簡単な説明】
【００４９】
【図１】第１実施形態にかかる天井裏空間に埋め込み設置された排気用の空気清浄フィルタユニットの概略構造を示す断面図である。
【図２】フィルタをフィルタ固定枠に取り付けようとしている状態を示す図である。
【図３】図１のフィルタ付近を拡大して示す図である。
【図４】図３のＩ矢視図である。
【図５】フィルタ収納体の断面図である。
【図６】フィルタ固定枠にフィルタ収納体が取り付けられた状態を示す図である。
【図７】フィルタがフィルタ固定枠から取り外されてフィルタ収納体内に入った状態を示す図（吸引装置も図示）である。
【図８】フィルタ収納体をフィルタ固定枠から取り外して入口部の開口を閉鎖した状態を示す図である。
【図９】フィルタ取り外し機構を有するフィルタ交換装置においてフィルタがフィルタ固定枠にロックされた状態を示す図である。
【図１０】フィルタ取り外し機構を有するフィルタ交換装置においてフィルタがフィルタ固定枠から取り外された状態を示す図である。
【図１１】フィルタ取り外し機構を有するフィルタ交換装置においてフィルタがフィルタ固定枠にロックされた状態を示す図である。
【図１２】フィルタ取り外し機構を有するフィルタ交換装置においてフィルタがフィルタ固定枠から取り外された状態を示す図である。
【図１３】第２実施形態にかかる天井裏空間に排気ダクトの途中に挿入されるように設置された排気用の空気清浄フィルタユニットの概略構造の断面図である。
【図１４】図１５のII−II断面図である。
【図１５】フィルタをフィルタ固定枠に取り付けようとしている状態を示す図である。
【図１６】図１３のII−II断面図である。
【図１７】図１６のIII矢視図である。
【図１８】フィルタ固定枠にフィルタ収納体が取り付けられ、フィルタがフィルタ固定枠から取り外される様子を示す図である。
【図１９】第３実施形態にかかる空気清浄フィルタユニットの概略構造を示す平面図である。
【図２０】第３実施形態にかかる空気清浄フィルタユニットの概略構造を示す断面図である。
【図２１】フィルタがフィルタ固定枠から取り外されてフィルタ収納体内に入った状態を示す図（吸引装置も図示）である。
【符号の説明】
【００５０】
１、１０１、２０１  空気清浄フィルタユニット
４、１０４、２０４  フィルタ
２１、１２１、２２１  フィルタ固定枠
４１、１４１、２４１  ろ材
４２、１４２、２４２  フィルタ枠
７１、１７１、２７１  フィルタ交換装置
８１、８２、８３、１８１、２８１  収納体固定手段
８５、８６  フィルタ取り外し機構
９１、１９１、２９１  フィルタ収納体
９１ａ、１９１ａ、２９１ａ  入口部
９１ｂ、１９１ｂ、２９１ｂ  吸引部
９１ｃ、１９１ｃ、２９１ｃ  操作部
９２、１９２、２９２  排気用フィルタ
９３、１９３、２９３  スペーサ部材
【図１】
2006015213.tif 000003
【図２】
2006015213.tif 000004
【図３】
2006015213.tif 000005
【図４】
2006015213.tif 000006
【図５】
2006015213.tif 000007
【図６】
2006015213.tif 000008
【図７】
2006015213.tif 000009
【図８】
2006015213.tif 000010
【図９】
2006015213.tif 000011
【図１０】
2006015213.tif 000012
【図１１】
2006015213.tif 000013
【図１２】
2006015213.tif 000014
【図１３】
2006015213.tif 000015
【図１４】
2006015213.tif 000016
【図１５】
2006015213.tif 000017
【図１６】
2006015213.tif 000018
【図１７】
2006015213.tif 000019
【図１８】
2006015213.tif 000020
【図１９】
2006015213.tif 000021
【図２０】
2006015213.tif 000022
【図２１】
2006015213.tif 000023